(57)【要約】【課題】購入候補の機器の生涯費用を考慮した購入品選択支援システムを提供する。【解決手段】情報サーバ９０は、ＨＥＭＳ３０から送信された次期機器の種別及び次期機器の価格帯の情報に基づいて次期機器の候補を選出すると共に、ＨＥＭＳ３０から送信された次期機器の使用予定期間及び現行機器の消費エネルギー量の情報並びに現行機器の定格消費エネルギー量の情報及び次期機器の候補の定格消費エネルギー量の情報を用いて次期機器の候補の生涯費用を算出し、次期機器の候補の情報及び次期機器の候補の生涯費用の情報をＨＥＭＳ３０に送信する。ＨＥＭＳ３０は、情報サーバ９０が送信した次期機器の候補及び次期機器の候補の生涯費用の情報を受信して、室内操作盤７２に表示する。【選択図】図１
2015228175.tif 000002
【特許請求の範囲】
【請求項１】
建物内の現行機器の消費エネルギー量を計測する計測部、該計測した消費エネルギー量を記憶する記憶部、該現行機器のユーザが次に購入する次期機器の種別、次期機器の価格帯及び次期機器の使用予定期間を入力する入力部、並びに該入力部に入力された事項及び現行機器の消費エネルギー量の情報を送信可能な送信部を有する入力端末と、
前記入力端末から送信された次期機器の種別及び次期機器の価格帯の情報に基づいて次期機器の候補を選出すると共に、前記入力端末から送信された次期機器の使用予定期間及び現行機器の消費エネルギー量の情報並びに現行機器の定格消費エネルギー量の情報及び次期機器の候補の定格消費エネルギー量の情報を用いて次期機器の候補の生涯費用を算出し、次期機器の候補及び次期機器の候補の生涯費用の情報を送信する演算処理部と、
前記演算処理部が送信した次期機器の候補及び次期機器の候補の生涯費用の情報を受信すると共に受信した情報を表示する表示端末と、
を備えた購入品選択支援システム。
【請求項２】
前記演算処理部は、現行のエネルギー単価の情報、現行機器の定格消費エネルギー量の情報、並びに次期機器の候補の実売価格及び定格消費エネルギー量の情報をネットワークを介して取得すると共に、該取得した情報と、前記入力端末から送信された次期機器の使用予定期間及び現行機器の消費エネルギー量の情報とに基づいて前記次期機器の候補の生涯費用を算出する請求項１に記載の購入品選択支援システム。
【請求項３】
前記演算処理部は、前記次期機器の候補に類似する機器の情報をネットワークを介して取得すると共に、該取得した類似する機器の情報に基づいて該類似する機器の生涯費用を算出し、該類似する機器及び該類似する機器の生涯費用の情報を前記表示端末に送信する請求項１又は２に記載の購入品選択支援システム。
【発明の詳細な説明】
【技術分野】
【０００１】
本発明は、買い替え等により、次に購入する機器を選択するための購入品選択支援システムに関する。
【背景技術】
【０００２】
家電製品及び給湯器等の住宅等の建物で使用される機器の買い替えに際し、購入すべき機器の選択を支援するシステムが提案されている。例えば、特許文献１には、機器の使用実績をデータベースに登録し、当該データベースに基づいてユーザが当該機器を使用する傾向を把握し、買い替えに適した機器の候補を抽出する技術が開示されている。
【先行技術文献】
【特許文献】
【０００３】
【特許文献１】特開２０１２−１０７８１２号公報
【発明の概要】
【発明が解決しようとする課題】
【０００４】
しかしながら、特許文献１に記載の技術では、ユーザの機器の使用傾向に基づいて新たな機器を紹介するのみであり、機器の購入及び予定されている使用期間におけるコストを考慮した選択がなされていないという問題点があった。
【０００５】
本発明は、上記事実を考慮して成されたもので、購入候補の機器を所定の期間使用した場合のコストであるＬＣＣ（生涯費用：Life Cycle Cost）を考慮した購入品選択支援システムを提供することを目的とする。
【課題を解決するための手段】
【０００６】
上記課題を解決するための請求項１の発明は、建物内の現行機器の消費エネルギー量を計測する計測部、該計測した消費エネルギー量を記憶する記憶部、該現行機器のユーザが次に購入する次期機器の種別、次期機器の価格帯及び次期機器の使用予定期間を入力する入力部、並びに該入力部に入力された事項及び現行機器の消費エネルギー量の情報を送信可能な送信部を有する入力端末と、前記入力端末から送信された次期機器の種別及び次期機器の価格帯の情報に基づいて次期機器の候補を選出すると共に、前記入力端末から送信された次期機器の使用予定期間及び現行機器の消費エネルギー量の情報並びに現行機器の定格消費エネルギー量の情報及び次期機器の候補の定格消費エネルギー量の情報を用いて次期機器の候補の生涯費用を算出し、次期機器の候補及び次期機器の候補の生涯費用の情報を送信する演算処理部と、前記演算処理部が送信した次期機器の候補及び次期機器の候補の生涯費用の情報を受信すると共に受信した情報を表示する表示端末と、を備える。
【０００７】
請求項１に記載の発明によれば、演算処理部は、入力端末から送信された次期機器の種別及び次期機器の価格帯の情報に基づいて次期機器の候補を選出できる。
【０００８】
また、演算処理部は、入力端末から送信された次期機器の使用予定期間及び現行機器の消費エネルギー量の情報並びに現行機器の定格消費エネルギー量の情報及び次期機器の候補の定格消費エネルギー量の情報を用いて次期機器の候補の生涯費用を算出できる。
【０００９】
請求項２の発明は、請求項１に記載の発明において、前記演算処理部は、現行のエネルギー単価の情報、現行機器の定格消費エネルギー量の情報、並びに次期機器の候補の実売価格及び定格消費エネルギー量の情報をネットワークを介して取得すると共に、該取得した情報と、前記入力端末から送信された次期機器の使用予定期間及び現行機器の消費エネルギー量の情報とに基づいて前記次期機器の候補の生涯費用を算出する。
【００１０】
請求項２に記載の発明によれば、演算処理部は、必要に応じてネットワークから情報を取得し、取得した情報を用いて次期機器の候補の生涯費用を算出することができる。
【００１１】
請求項３の発明は、請求項１又は２に記載の発明において、前記演算処理部は、前記次期機器の候補に類似する機器の情報をネットワークを介して取得すると共に、該取得した類似する機器の情報に基づいて該類似する機器の生涯費用を算出し、該類似する機器及び該類似する機器の生涯費用の情報を前記表示端末に送信する。
【００１２】
請求項３に記載の発明によれば、次期機器の候補に類似する機器の情報を、別途推奨する次期機器の候補として提示することができる。
【発明の効果】
【００１３】
以上説明したように、請求項１に記載の発明は、算出した次期機器の候補のＬＣＣを表示端末に表示することにより、購入候補の機器のＬＣＣを考慮した購入品選択支援ができるという効果を有する。
【００１４】
請求項２に記載の発明によれば、エネルギー単価、現行機器の定格消費エネルギー量、次期機器の候補の実売価格、次期機器の候補の定格消費エネルギー量の各情報も用いることにより、次期機器の候補のＬＣＣを正確に算出できる。そして、正確に算出した購入候補の機器のＬＣＣを考慮した購入品選択支援ができるという効果を有する。
【００１５】
請求項３に記載の発明によれば、購入候補の機器と同一カテゴリのユーザに推奨できる機器についてもＬＣＣを考慮した購入品選択支援ができるという効果を有する。
【図面の簡単な説明】
【００１６】
【図１】本発明の実施の形態に係る購入品選択支援システムの一例を示す概略図である。
【図２】本発明の実施の形態に係る購入品選択支援システムにおけるＨＥＭＳの概略構成を示すブロック図である。
【図３】本発明の実施の形態に係る購入品選択支援システムにおける情報サーバでの機器購入支援での処理の一例を示すフローチャートである。
【図４】本発明の実施の形態に係る購入品選択支援システムで情報サーバから送信される候補機器リストがＨＥＭＳの表示部及び室内操作盤に表示された状態の一例を示した概略図である。
【図５】本発明の実施の形態に係る購入品選択支援システムで情報サーバから送信されたＬＣＣの情報に基づいたＨＥＭＳの表示部及び室内操作盤の表示の一例を示した概略図である。
【図６】本発明の実施の形態に係る購入品選択支援システムにおける情報サーバでの電力等の契約選択支援の処理の一例を示すフローチャートである。
【図７】本発明の実施の形態に係る購入品選択支援システムにおける情報サーバでの機器及び電力等の契約選択支援の処理の一例を示すフローチャートである。
【発明を実施するための形態】
【００１７】
以下、図面を参照して本実施の形態の一例を詳細に説明する。図１は、本実施の形態に係る購入品選択支援システム１０の一例を示す概略図である。本実施の形態では、系統電力１２からの電力が、主幹ブレーカー１１０を介して建物１００の分電盤１４に供給されている。
【００１８】
主幹ブレーカー１１０の分電盤１４側には、系統電力１２から供給される電力の電流値を検知する主幹ブレーカー電流センサ１２０が設けられている。系統電力１２から分電盤１４に供給された電力は、分岐回路２０Ａ〜２０Ｅを介してリビング５６及び洗面所５８に設置された電力負荷手段並びに電気給湯器６６に分配されている。
【００１９】
本実施の形態では、一例として、分岐回路２０Ａ、２０Ｂ、２０Ｃはリビング５６に導かれ、分岐回路２０Ａはエアコン１８に、分岐回路２０Ｂはパソコン２８及びテレビ３２に、分岐回路２０Ｃは照明２６に接続されている。また、分岐回路２０Ｄは洗面所５８に導かれ、洗濯機３４に接続されている。また、分岐回路２０Ｅは電気給湯器６６に接続されている。
【００２０】
分岐回路２０Ａ〜２０Ｅには分岐回路２０Ａ〜２０Ｅの電流値を計測する電流センサ２２Ａ〜２２Ｅが各々設けられている。電流センサ２２Ａ〜２２Ｅからの情報線は、主幹ブレーカー電流センサ１２０からの情報線と住宅内のエネルギーの管理や制御を行うＨＥＭＳ（Home Energy Management System）３０が分電盤１４を制御するための情報線と共にＨＥＭＳ３０に接続されている。なお、図１において破線は計測データ又は制御情報が流れる情報線であるとする。主幹ブレーカー電流センサ１２０及び電流センサ２２Ａ〜２２Ｅが検知した電流値は当該電流値が検知された時に対応付けられて、電流センサ２２Ａ〜２２Ｅの検知結果としてＨＥＭＳ３０のメモリに記憶される。また、ＨＥＭＳ３０には、タッチパネル等の入力装置と液晶パネル等の表示装置とを備えた室内操作盤７２が接続されている。室内操作盤７２は、建物１００内の任意の場所に設置できるが、本実施の形態では、リビング５６に設置する。
【００２１】
分電盤１４の分岐回路２０Ａ〜２０Ｅには、分岐回路２０Ａ〜２０Ｅをオン状態又はオフ状態に切り替えるための分岐ブレーカー２４Ａ〜２４Ｅが各々設けられ、分岐ブレーカー２４Ａ〜２４Ｅは、ＨＥＭＳ３０によって制御される。なお、図１では、記載の簡略化のために分岐回路は５系統のみ記載しているが、本実施の形態では５系統以上でも５系統以下でもよく、分岐回路の本数に特段の限定はない。エアコン１８、パソコン２８、照明２６、テレビ３２、洗濯機３４及び電気給湯器６６がＨＥＭＳ３０からの制御が可能ないわゆるスマート家電である場合には、ＨＥＭＳ３０は、これらの機器の制御に加えて、各機器の使用時間、消費電力量等を随時計測する。そして、計測した使用時間、消費電力量等は、記憶装置に記憶する。
【００２２】
ＨＥＭＳ３０にはゲートウェイである終端装置６０が接続されており、終端装置６０を介してネットワーク８０に接続されている。ネットワーク８０には、買い替える機器の情報を建物１００に提供する情報センターの情報サーバ９０が接続されており、ＨＥＭＳ３０は、情報サーバ９０から機器選択に係る情報を適宜取得可能である。情報サーバ９０は、ネットワーク８０を介してクラウドサーバ９２に接続されている。情報サーバ９０は、クラウドサーバ９２から、購入候補である機器の詳細な情報を取得し、取得した情報に基づいてユーザの機器選択の支援をする。
【００２３】
図２は、本実施の形態に係る購入品選択支援システムに係るＨＥＭＳ３０の概略構成を示すブロック図である。ＨＥＭＳ３０は、ＣＰＵ（Central Processing Unit）４２と、ＨＤＤ（Hard Disk Drive）４４と、ＲＡＭ（Random Access Memory）４６と、ネットワークＩ／Ｆ部４８と、ＲＯＭ（Read Only Memory）５０とを含む。また、ＨＥＭＳ２２Ａ〜２２Ｄは表示部５２と、操作入力部５４と、バス５６とを含んでおり、情報を入力する端末と情報を表示する端末との機能を有している。
【００２４】
ＣＰＵ４２は、ＨＥＭＳの全体の動作を司るものである。ＨＤＤ４４は、機器選択支援に係るプログラム、電流センサ２２Ａ〜２２Ｅの検知結果に基づいて建物１００での消費電力量を算出するプログラム、各機器を制御すると共に使用状況及び消費電力量を計測するプログラムが記憶されている不揮発性の記憶装置である。さらに、ＨＤＤ４４には、これらのプログラムを実行するための各種情報及びＯＳ（Operating System）記憶されている。ＲＡＭ４６は、ＯＳ、プログラム又はデータが展開される揮発性の記憶装置である。ネットワークＩ／Ｆ部４８は、ネットワークに接続するためのものであり、ＮＩＣ（Network Interface Card）やそのドライバで構成される。ＲＯＭ５０は、ＨＥＭＳの起動時に動作するブートプログラムなどが記憶されている不揮発性の記憶装置である。表示部５２は、購入品選択支援システム１０に関する情報をユーザに表示するものである。操作入力部５４は、ユーザが購入品選択支援システム１０の操作や情報を入力する際に用いられるものであり、一例としてタッチパネル、キーボード等の入力装置及びトラックボール、ペンタブレット、マウス等のポインティングデバイスが含まれる。本実施の形態では、表示装置及び入力装置を備えた室内操作盤７２を、表示部５２及び操作入力部５４として用いてもよい。バス５６は、情報のやりとりが行われる際に使用される。
【００２５】
建物１００の消費電力量は、電流センサ２２Ａ〜２２Ｅが検知した電流値から算出可能である。分電盤１４から供給される電圧は略１００Ｖなので、本実施の形態では各電流センサが検知した電流値に１００を乗算することで、消費電力量を算出する。しかしながら、電圧の変動が大きい分岐回路では、別途電圧を測定する手段を設けてもよい。また、各機器がスマート家電の場合には、ＨＥＭＳ３０は、これらの機器の制御に加えて、各機器の使用時間、消費電力量等を随時把握し、記憶手段であるＨＤＤ４４に記憶する。
【００２６】
さらに、ＨＥＭＳ３０は、建物１００に供給されているガス等の電力以外のエネルギーの消費量もガスメータ（図示せず）及び各ガス機器等をモニタすることによって算出し、ＨＤＤ４４に記憶しておいてもよい。
【００２７】
続いて、本実施の形態に係る購入品選択支援システム１０の作用並びに効果について説明する。図３は、本実施の形態に係る購入品選択支援システム１０における情報サーバ９０での機器購入支援の処理の一例を示すフローチャートである。ステップ３００では、ユーザによるＨＥＭＳ３０の操作によって処理を開始した後、ユーザの要求に基づいた候補機器のリストを送信する。
【００２８】
図４は、本実施の形態に係る購入品選択支援システム１０で情報サーバ９０から送信される候補機器リストがＨＥＭＳ３０の表示部５２及び室内操作盤７２に表示された状態の一例を示した概略図である。図４は、ユーザが機器の種別を「４Ｋスマートテレビ」と指定して、リビング５６のテレビ３２を４Ｋスマートテレビに買い替えを希望することをＨＥＭＳ３０から情報サーバ９０にリクエストした場合の候補機器リストの一例である。図４には、画面サイズが４６インチクラスのテレビが、型番と機器のサムネイル画像付きで表示されている。ユーザは、表示された機器のリストから機種を絞り込む場合には、画面右下の「はい」のボタンをタッチする。
【００２９】
ステップ３０２では、ユーザが「はい」をタッチしたか否かが判定され、肯定判定の場合には、ステップ３０４で、ＨＥＭＳ３０に対し、現行使用機器であるテレビ３２の消費電力量（実測値）を取得するための要求を送信する。ステップ３０２で否定判定の場合、すなわち、所定時間以内にユーザが図４の「はい」をタッチしなかった場合には、タイムアウトにより、処理を終了する。
【００３０】
ステップ３０６では、ＨＥＭＳ３０から現行使用機器であるテレビ３２の消費電力量（実測値）に係る情報を受信する。
【００３１】
ステップ３０８では、ＨＥＭＳ３０に対し、ユーザが希望する価格帯についての質問を送信し、ステップ３１０では、ユーザから希望する価格帯の応答があったか否かを判定し、肯定判定の場合には、ステップ３１２で価格帯で候補機器を絞り込む。
【００３２】
ステップ３１４では、価格帯で絞り込んだ候補機器リストを送信すると共に、機器の希望使用年数の質問をＨＥＭＳ３０に送信する。ステップ３１６では、ユーザからの応答があったか否かを判定し、肯定判定の場合には、ステップ３１８で、候補機器の購入価格（実売価格）、候補機器の年間消費電力量及び現在の系統電力の電力単価の情報をクラウドサーバ９２等から取得する。候補機器の年間消費電力量は、いわゆるカタログデータでよい。
【００３３】
ステップ３２０では、現行使用機器であるテレビ３２の年間消費電力量の情報をクラウドサーバ９２等から取得する。現行使用機器の年間消費電力量は、いわゆるカタログデータでよい。ステップ３２２では、候補外の機器の情報をクラウドサーバ９２等から取得する。情報を取得する候補外の機器は、候補機器の類似品であり、例えば、技術的に特徴があるもの、販売に際して何らかの優遇措置があるもの又は特に実売価格が安いもの等である。
【００３４】
ステップ３２４では、候補機器及びステップ３２２で取得した候補外の機器のＬＣＣを算出する。ＬＣＣの算出は、例えば、「１．候補機器の購入価格」、「２．候補機器の年間消費電力量（カタログデータ）」、「３．現在の系統電力の電力単価」、「４．現行使用機器の消費電力量（実測値）」、「５．現行使用機器の年間消費電力量（カタログデータ）」及び「６．希望使用年数」に基づく。なお、カタログデータである「２．候補機器の年間消費電力量」及び「５．現行使用機器の年間消費電力量」は、既知の数値なので情報サーバ９０に予め記憶しておいてもよい。
【００３５】
下記の式（１）は、機器選択の支援においてＬＣＣを算出するための数式の一例である。
ＬＣＣ＝「１」＋「２」×「３」×（「４」／「５」）×「６」  ・・・（１）
式（１）では、「４．現行使用機器の消費電力量（実測値）」と「５．現行使用機器の年間消費電力量（カタログデータ）」との商に「２．候補機器の年間消費電力量（カタログデータ）」を乗算している。かかる計算により、候補機器の年間消費電力量を実測値ベースに補正している。
【００３６】
ステップ３２６では、算出したＬＣＣの情報をＨＥＭＳ３０に送信する。図５は、本実施の形態に係る購入品選択支援システム１０で情報サーバ９０から送信されたＬＣＣの情報に基づいたＨＥＭＳ３０の表示部５２及び室内操作盤７２の表示の一例を示した概略図である。図５では、一例として、推奨する機器の購入価格、ＬＣＣ及び定格消費電力量が表示されている。この他にも各機器の予測される年間消費電力量、当該年間消費電力量と現在の電力単価から算出した年間の電気料金等を表示してもよい。
【００３７】
また、図５の下段には、候補外であっても推奨できる機器を紹介する。例えば、有機ＥＬ等の次世代の技術を使用したもの、又はディスカウント品等のユーザにとって便益が見込めるものを表示する。
【００３８】
また、本実施の形態に係る購入品選択支援システムは、電力、ガス等の契約を選択する際の支援にも適用できる。図６は、本実施の形態に係る購入品選択支援システム１０における情報サーバ９０での電力等の契約選択支援の処理の一例を示すフローチャートである。図６の処理は、ＨＥＭＳ３０の操作によって現行の契約、例えば、契約容量又は時間帯別プラン等を見直すための契約選択の支援が情報サーバ９０に要求された場合に開始され、ステップ６００では、ＨＥＭＳ３０に既存の電力契約等のリストを送信する。
【００３９】
ステップ６０２では、ユーザが契約の絞り込みをするための応答をしたか否かが判定され、肯定判定の場合には、ステップ６０４で、ＨＥＭＳ３０に対し、時間帯別の消費電力量（実測値）を取得するための要求を送信する。ステップ６０２で否定判定の場合は、タイムアウトにより、処理を終了する。
【００４０】
ステップ６０６では、ＨＥＭＳ３０から時間帯別の消費電力量（実測値）に係る情報を受信する。ステップ６０８では、ＨＥＭＳ３０に対し、契約の希望使用年数についての質問を送信し、ステップ６１０では、ユーザから希望使用年数の応答があったか否かを判定する。ステップ６１０で、肯定判定の場合には、ステップ６１２で、候補契約の時間帯別の料金単価、並びに候補契約の基本料金及び候補契約に必要な機器の費用等を含む候補契約の導入費用等の情報をクラウドサーバ９２等から取得する。また、候補外の契約であっても、ユーザにとって便益となるような優遇措置が設けられている契約の情報を取得する。
【００４１】
ステップ６１４では、候補契約及び候補外の契約のＬＣＣを算出する。ＬＣＣの算出は、例えば、「１．候補契約の導入費用」、「２．候補契約の時間帯別金単価」、「３．過去１年間の消費電力量（実測値）」、「４．希望使用年数」に基づく。「３．過去１年間の消費電力量（実測値）」は、ステップ６０６でＨＥＭＳ３０から取得した時間帯別の消費電力量（実測値）に係る情報から算出する。
【００４２】
下記の式（２）は、契約選択の支援においてＬＣＣを算出するための数式の一例である。
ＬＣＣ＝「１」＋「２」×「３」×「４」    ・・・（２）
ステップ６１６では、算出したＬＣＣの情報をＨＥＭＳ３０に送信して処理を終了する。
【００４３】
図７は、本実施の形態に係る購入品選択支援システム１０における情報サーバ９０での機器及び電力等の契約選択支援の処理の一例を示すフローチャートである。図７の処理は、ユーザによるＨＥＭＳ３０の操作によって現行の使用機器並びに現行の契約、例えば、電力の契約容量又は時間帯別プラン又はガスの契約等を見直ため契約選択の支援が情報サーバ９０に要求されたことにより開始される。まず、ステップ７００では、ＨＥＭＳ３０に候補機器のリスト及び既存の電力契約又は既存のガス契約等のリストを送信する。
【００４４】
ステップ７０２では、ユーザが機器及び契約の絞り込みをするための応答をしたか否かが判定される。ステップ７０２で、肯定判定の場合には、ステップ７０４で、ＨＥＭＳ３０に対し、時間帯別の消費電力量（実測値）及びガス消費量等の消費エネルギー量を取得するための要求を送信する。ステップ７０２で否定判定の場合は、タイムアウトにより、処理を終了する。
【００４５】
ステップ７０６では、ＨＥＭＳ３０から時間帯別の消費エネルギー量（実測値）に係る情報を受信する。ステップ７０８では、ＨＥＭＳ３０に対し、機器及び契約の希望使用年数についての質問を送信し、ステップ７１０では、ユーザから希望使用年数の応答があったか否かを判定する。ステップ７１０で肯定判定の場合には、ステップ７１２で、候補契約の時間帯別の料金単価、並びに候補契約の基本料金及び候補契約に必要な機器の費用等を含む候補契約の導入費用等の詳細情報をクラウドサーバ９２等から取得する。
【００４６】
ステップ７１４では、候補機器の購入価格（実売価格）、候補機器の年間消費エネルギー量及び現在のエネルギーの単価の情報をクラウドサーバ９２等から取得する。候補機器の年間消費エネルギー量は、いわゆるカタログデータでよい。
【００４７】
ステップ７１６では、現行使用機器の年間消費エネルギー量の情報をクラウドサーバ９２等から取得する。現行使用機器の年間消費エネルギー量は、いわゆるカタログデータでよい。ステップ７１８では、候補外の機器及び契約の情報をクラウドサーバ９２等から取得する。情報を取得する候補外の機器は、候補機器の類似品であり、例えば、技術的に特徴があるもの、販売に際して何らかの優遇措置があるもの又は特に実売価格が安いもの等である。また、情報を取得する候補外の契約は、ユーザにとって便益となるような優遇措置が設けられている契約である。
【００４８】
ステップ７２０では、候補機器及び候補外の機器並びに候補契約及び候補外の契約の各々についてＬＣＣを算出する。ＬＣＣの算出は、例えば、「１．候補機器、候補契約の導入費用」、「２．候補機器の年間消費エネルギー量（カタログデータ）」、「３．現在のエネルギー単価」、「４．現行使用機器の消費エネルギー量（実測値）」、「５．現行使用機器の年間消費エネルギー量（カタログデータ）」及び「６．希望使用年数」に基づく。
【００４９】
下記の式（３）は、機器及び契約選択の支援においてＬＣＣを算出するための数式の一例である。
ＬＣＣ＝「１」＋「２」×「３」×（「４」／「５」）×「６」    ・・・（３）
ステップ７２２では、算出したＬＣＣの情報をＨＥＭＳ３０に送信して処理を終了する。
【００５０】
以上説明したように、本実施の形態によれば、情報サーバ９０は、ＨＥＭＳ３０及びクラウドサーバ９２から取得した情報と、インタラクティブ形式での入力に基づいてＬＣＣを算出し、候補の絞り込みを行っている。かかる処理により、ユーザが買い替えを希望する機器、見直しを考慮している電力等の契約等を選択する際の支援を、機器又は契約を所定の期間運用した場合のコストであるＬＣＣを考慮して行うことができる。
【００５１】
また、本実施の形態では、候補機器を将来買い替える場合には機器の下取りを想定して候補機器を廃棄する料金をＬＣＣには含めていない。しかしながら、機器の種別又は使用した機器の状態によっては、下取りが困難な場合もある。かかる場合を想定して、ＬＣＣに機器の廃棄に要する費用を計上してもよい。機器の廃棄に要する費用は、情報サーバ９０に予め記憶しておいてもよいし、必要に応じてクラウドサーバ９２から取得するようにしてもよい。
【符号の説明】
【００５２】
１０   購入品選択支援システム
１２   系統電力
１４   分電盤
１８   エアコン
２０Ａ，２０Ｂ，２０Ｃ，２０Ｄ,２０Ｅ     分岐回路
２２Ａ，２２Ｂ，２２Ｃ，２２Ｄ，２２Ｅ    電流センサ
２６   照明
２８   パソコン
３０   ＨＥＭＳ
３２   テレビ
３４   洗濯機
４２   ＣＰＵ
４４   ＨＤＤ
４６   ＲＡＭ
４８   ネットワークＩ／Ｆ部
５０   ＲＯＭ
５２   表示部
５４   操作入力部
５６   バス
５６   リビング
５８   洗面所
６０   終端装置
６６   電気給湯器
７２   室内操作盤
８０   ネットワーク
９０   情報サーバ
９２   クラウドサーバ
１００ 建物
【図１】
2015228175.tif 000003
【図２】
2015228175.tif 000004
【図３】
2015228175.tif 000005
【図４】
2015228175.tif 000006
【図５】
2015228175.tif 000007
【図６】
2015228175.tif 000008
【図７】
2015228175.tif 000009